(57)【要約】【課題】  管理者がアプリケーションの停止や削除を行う際に、ユーザの作業を途中で強制的に中止してしまうようなことを防止できるような画像形成装置を提供する。【解決手段】  画像形成装置は、アプリケーションをインストール・アンインストールすることが可能な画像形成装置であって、ユーザがアプリケーションを利用中であるか否かを判別する判別手段を備え、前記判別手段によりユーザが利用中でないと判別された場合にのみアプリケーションの管理を許可することを特徴とする。【選択図】  図８
2006123310.tif 000002
【特許請求の範囲】
【請求項１】
アプリケーションをインストール・アンインストールすることが可能な画像形成装置において、ユーザがアプリケーションを利用中であるか否かを判別する判別手段を備え、前記判別手段によりユーザが利用中でないと判別された場合にのみアプリケーションの管理を許可することを特徴とする画像形成装置。
【請求項２】
前記画像形成装置は、さらに、ユーザを認証するための認証手段を備え、前記判別手段は前記認証手段によって認証されたユーザがログイン中であるか否かを判別する手段であることを特徴とする請求項１記載の画像形成装置。
【請求項３】
前記判別手段は、指定されたアプリケーションの画面が表示されているか否かを判別する手段であることを特徴とする請求項１記載の画像形成装置。
【請求項４】
アプリケーションをインストール・アンインストールすることが可能な画像形成装置において、インストールされているアプリケーションの管理処理を行っているか否かを判別する手段を備え、アプリケーションの管理処理中でないと判別された場合にのみ、ユーザに画像形成装置の機能を利用させることを特徴とする画像形成装置。
【請求項５】
請求項１に記載の画像形成装置および請求項４に記載の画像形成装置の特徴を兼ね備えることを特徴とする画像形成装置。
【発明の詳細な説明】
【技術分野】
【０００１】
本発明は画像形成装置に関する。
【背景技術】
【０００２】
従来から、製品出荷後の複写機に対して追加アプリケーションをインストールしたり、インストールされたアプリケーションの開始／停止／アンインストールしたりできるような複写機が提案されている。複写機においてはウェブブラウザを通じて複写機上のアプリケーションの操作を行うことが可能となっている（例えば、特許文献１）。このような複写機では後からさまざまなアプリケーションを開発し、追加することが可能なため、既存システムの中に組み込んだり、新しいシステムに適応させたりすることが柔軟に行うことができ、さまざまな可能性を秘めている。
【特許文献１】特開2002-287990号公報
【発明の開示】
【発明が解決しようとする課題】
【０００３】
しかしながら、このような画像形成装置においてはリモートからアプリケーションの制御を行うために、ユーザがアプリケーション利用中にアプリケーションを停止してしまい、ユーザが行っていた作業が途中で強制的に中止させられてしまう場合があった。
【０００４】
本発明は、このような問題を鑑みてなされたものであり、その目的は、管理者がアプリケーションの停止や削除を行う際に、ユーザの作業を途中で強制的に中止してしまうようなことを防止できるような画像形成装置を提供することにある。
【課題を解決するための手段】
【０００５】
上記課題を解決するために、本願発明は、以下の手段を提供する。
【０００６】
請求項１に記載の画像形成装置は、アプリケーションをインストール・アンインストールすることが可能な画像形成装置であって、ユーザがアプリケーションを利用中であるか否かを判別する判別手段を備え、前記判別手段によりユーザが利用中でないと判別された場合にのみアプリケーションの管理を許可することを特徴とする。
【０００７】
請求項２に記載の画像形成装置は、請求項１記載の画像形成装置において、さらに、ユーザを認証するための認証手段を備え、前記判別手段は前記認証手段によって認証されたユーザがログイン中であるか否かを判別する手段であることを特徴とする。
【０００８】
請求項３に記載の画像形成装置は、請求項１記載の画像形成装置において、前記判別手段は、指定されたアプリケーションの画面が表示されているか否かを判別する手段であることを特徴とする。
【０００９】
請求項４に記載の画像形成装置は、アプリケーションをインストール・アンインストールすることが可能な画像形成装置において、インストールされているアプリケーションの管理処理を行っているか否かを判別する手段を備え、アプリケーションの管理処理中でないと判別された場合にのみ、ユーザに画像形成装置の機能を利用させることを特徴とする。
【００１０】
請求項５に記載の画像形成装置は、請求項１に記載の画像形成装置および請求項４に記載の画像形成装置の特徴を兼ね備えることを特徴とする。
【発明の効果】
【００１１】
本発明によれば、ユーザが画像形成装置の機能を利用している途中に機能の停止やアンインストールを行われて、ユーザの作業が強制的に中止されてしまうようなことを防ぐことが可能となる。
【発明を実施するための最良の形態】
【００１２】
以下、本発明の実施形態を実施例に沿って図面に基づいて説明する。
【００１３】
（第一の実施形態）
図１は、第一の実施形態に係るシステムの構成を示すブロック図である。図１において、画像形成装置の好適な一例である複合機１００は、スキャナ、プリンタ、コピー、ファックス機能一体型の複合機である。
【００１４】
複合機１００は、主にリーダ部１、プリンタ部２および画像入出力制御部３で構成されている。リーダ部１は、プリンタ部２および画像入出力制御部３に接続され、原稿の画像読み取りを行うとともに読み取った画像データをプリンタ部２または画像入出力制御部３に出力する。プリンタ部２は、リーダ部１および画像入出力部３から出力された画像データを記録紙に印刷する。画像入出力制御部３は、外部のネットワークや公衆回線と接続したり、外部記憶装置から読み込んだりして、画像データの入出力を行う。またユーザが複合機１００を使用するための認証処理や複合機上で動作するアプリケーションの管理も行う。
【００１５】
画像入出力制御部３は、ファクシミリ部４、ファイル部５、ネットワークインタフェース部７、PDLフォーマッタ部８、画像メモリ部９、アプリケーション管理部１０、認証部１１およびコア部１２で構成される。
【００１６】
ファクシミリ部４は、コア部１２および公衆回線網に接続され、公衆回線網から受信した圧縮された画像データの伸張を行い、伸張したデータをコア部１２へ送信する。また、コア部１２から送信された画像データを圧縮し、公衆回線を解して圧縮した画像データを公衆回線網に送信する。
【００１７】
ファイル部５は、コア部１２、記憶装置６接続され、コア部１２から送信された画像データの圧縮を行い、圧縮した画像データを記憶装置６に書き込む。さらにファイル部５はコア部１２から要求に基づいて記憶装置６圧縮画像データを読み出して、伸張を行いコア部１２へ送信する。
【００１８】
ネットワークインタフェース部７は、外部のネットワークへ接続するためのインタフェースである。ネットワーク接続された接続されたコンピュータ（不図示）からのジョブ制御データの受信および画像データ等のコンピュータ（不図示）への送信は、ネットワークインタフェース部７を介して行われる。ジョブ制御データとして、PDLデータと共に送信されるジョブ制御命令を含み、たとえば、PDLデータを転換して画像データとして印刷した後、ステイプルソートして排紙させるものがあげられる。ネットワークインタフェース部７にはMIB(Management Information Base)と呼ばれデータベースが構築されており、SNMP(Simple Network Management Protocol)を介してネットワーク上のコンピュータ（不図示）と通信し、プリンタ部２の管理が可能となっている。
【００１９】
PDLフォーマッタ部８は、コア部１２に接続され、ネットワーク接続されたコンピュータから送信されたPDLデータをプリンタ部２でプリントできる画像データに展開するものである。
【００２０】
画像メモリ部９は、リーダ部１からの情報や、ネットワークインタフェース部７を介し、コンピュータから送られてきた情報を一時的に蓄積しておくためのものである。
【００２１】
操作部１４は、複合機１００が提供する機能をユーザに操作させるためのユーザインタフェースである。
【００２２】
アプリケーション管理部１０は、ネットワークインタフェース部７経由で受信したアプリケーションを記憶装置６に格納し、複合機上で動作可能なように制御／管理を行う。
【００２３】
外部装置インタフェース部１３は複合機１００にICカードリーダ１５などの周辺装置を接続するためのインタフェースであり、ＩＣカードを利用した認証を行う際などに利用される。
【００２４】
認証部１１は、操作部１４や外部装置インタフェース部１３に接続されたICカードリーダ１５などから入力された情報に基づいて認証処理を行う。
コア部１２は、上述したリーダ部１、ファクシミリ部４、ファイル部５、ネットワークインタフェース部７、PDLフォーマッタ部８、画像メモリ部９、アプリケーション管理部１０、認証部１１、外部装置インタフェース部１３、操作部１４のそれぞれの間を流れるデータの制御と共にジョブ制御データの解析を行う。
【００２５】
図２は、複合機１００における操作部１４の一例を示す図である。ＬＣＤ表示部２０２は、ＬＣＤ上にタッチパネルシート２０１が貼られており、システムの操作画面およびソフトキーを表示するとともに、表示してあるキーが押されるとその位置情報をコア部１０に伝える。スタートキー２０３は原稿画像の読み取り動作を開始する時などに用いる。スタートキー２０３中央部には、緑と赤の２色ＬＥＤ２１４があり、その色によってスタートキー２０３が有効な状態にあるかどうかを示す。ストップキー２０４は稼働中の動作を止める働きをする。リセットキー２０５は操作部からの設定を初期化する時に用いる。テンキー群２０６は、数値の入力を行う際に用いる。クリアキー２０７は、入力された数値をクリアしたいときに用いる。ＩＤキー２０８は、デバイスへのログインやログアウトのトリガーのために用いられる。ガイドキー２０９は、設定や入力方法についてのヘルプを表示するときに用いる。ユーザモードキー２１０は、装置の動作に関する特殊な設定や詳細な設定を行うときに用いる。カウンタキー２１１は、装置がプリントした用紙の枚数を確認するときに用いる。節電キー２１２は、装置を待機状態にし、消費電力を抑えたいときに用いる。電源キー２１３は、装置の電源をＯＮまたはＯＦＦするときに用いる。タリーランプ２１５、２１６は、それぞれ装置が動作中であるとき、および装置に何らかの異常が生じたときに、点滅あるいは点灯する。電源ランプ２１７は、電源キー２１３によって装置の電源がＯＮされたときに点灯する。
【００２６】
図３は、ＬＣＤ表示部２０２上に表示される認証画面の例を示す図である。この画面は複合機１００の電源投入後、複合機に搭載されている機能が利用可能になったら表示される。また、ユーザがこの画面からログインを行い、複合機１００に搭載されている機能を使い終わってログアウトした際にも表示される。また、ユーザがログイン中であっても一定時間操作部に入力がない場合にも自動的にログアウトされこの画面が表示される。
【００２７】
ユーザ名入力フィールド３０１はユーザ名を入力するフィールドである。この領域をタッチすることで仮想キーボード（不図示）がＬＣＤ表示部２０２上に表示されユーザ名を入力することができる。入力した文字列は、このフィールドにそのまま表示される。
【００２８】
パスワード入力フィールド３０２は、ユーザ名に対応したパスワードを入力するフィールドである。この領域をタッチすることで仮想キーボード（不図示）がＬＣＤ表示部２０２上に表示されパスワードを入力することができる。入力した文字列は、「＊」に置き換えられて表示される。
【００２９】
ログインボタン３０３は、複合機１００の機能を利用するためにログインするためのボタンである。ログインボタン３０３が押されると、ユーザ名入力フィールド３０１・パスワード入力フィールド３０２に入力された情報をもとに認証を行い、入力された情報が正しければログイン処理を行い、アプリケーション画面を表示する。もし入力された情報が正しくない場合は、エラー画面（不図示）を表示し、その後、再び図３のログイン画面を表示する。
【００３０】
図４は、ログイン後に表示されるアプリケーション画面の例である。アプリケーション切り替えタブ４０１はインストールされ開始状態のアプリケーションを切り替えるために利用されるタブである。アプリケーション群切り替えボタン４０２はアプリケーションタブが一画面に収まらなかった場合に表示されるタブを切り替えるためのボタンである。アプリケーション画面表示領域４０３は、現在選択されているタブのアプリケーション画面が表示される。図４におけるアプリケーション表示領域に表示されている画面は送信アプリケーションの画面の例である。送信アプリケーションはスキャン条件および宛先を設定してスタートキー２０３を押すことによりスキャナで読み込んだ画像を指定した宛先に送信を行うアプリケーションである。送信先アドレス設定ボタン４０４は、スキャンした画像の送信先の設定を行うためのボタンである。送信先アドレスリスト４０５は、送信先アドレス設定ボタン４０４で設定された送信先アドレスがリスト表示される。スキャン設定ボタン４０６は、スキャンを行う際の読み取り解像度などスキャン条件を設定するためのボタンである。スキャン設定表示領域４０７は、スキャン設定ボタン４０６で設定されたスキャン条件が表示される。
【００３１】
図５は、アプリケーションの管理を行うためのアプリケーション管理ツールの画面の例である。本実施例ではアプリケーション管理ツールはＷＥＢアプリケーションとして実装されているため、これらの画面はＷＥＢブラウザ上に表示される。
【００３２】
図５ａはアプリケーション管理ツールを利用するための認証画面であり、画像形成装置にアクセスするとまずこの画面が表示される。
【００３３】
ここで間違ったパスワードを入力しても図５ｃのエラー画面が表示されアプリケーション管理ツールを利用することができない。
【００３４】
正しいパスワードを入力するとアプリケーション管理ツールの状態が使用状態になり、アプリケーション一覧画面（図５ｂ）が表示される。図５ｂにおいて、アプリケーションリスト５０１は、複合機１００にインストールされているアプリケーションのリストが表示される領域であり、ラジオボタン５０２、アプリケーション名５０３、アプリケーション状態５０３から構成される。ラジオボタン５０２はアプリケーションの操作を行う際に、アプリケーションを選択するために利用されるＵＩである。アプリケーション名５０３は、アプリケーションの名称を示す。アプリケーション状態５０４は、そのアプリケーションの状態を示す。アプリケーションの状態には、停止状態と開始状態が存在する。５０５はアプリケーションの操作指示ボタン群であり、アンインストールボタン５０６と停止ボタン５０７と開始ボタン５０８が存在する。アンインストールボタン５０６は、アプリケーションをアンインストールするためのボタンであり、このボタンが押されるとラジオボタン５０２で選択されているアプリケーションのアンインストールを行う。停止ボタン５０７はアプリケーションを停止するためのボタンであり、このボタンが押されるとラジオボタン５０２で選択されているアプリケーションの停止処理を行う。停止処理が成功すればアプリケーションは停止状態となる。もともと停止状態のアプリケーションについては何も行われない。開始ボタン５０８はアプリケーションを開始するためのボタンであり、このボタンが押されると、ラジオボタン５０２で選択されているアプリケーションの開始処理を行う。開始処理が成功するとアプリケーションは開始状態となる。もともと開始状態にあったアプリケーションについては、開始ボタン５０８が押されても何も行わない。
【００３５】
アプリケーションインストール５０９はアプリケーションインストール画面（不図示）へのリンクであり、このリンク先から新たなアプリケーションのインストールを行うことができる。インストールされたアプリケーションはアプリケーションリスト５０１に表示される。
【００３６】
ログアウト５１０はアプリケーション管理ツールからのログアウトを行う。このリンクがクリックされるとアプリケーションツールの状態が未使用状態になり、図５ａの認証画面が表示される。
【００３７】
なお、図５ｂの画面で一定時間何も操作を行わなかった場合は、自動的にアプリケーションツールの状態が未使用状態になり、その後画面操作を行っても図５ａの画面に戻りログインをやりなおす必要がある。
【００３８】
図６は、図３においてユーザがユーザ名とパスワードを入力して、ログインボタン３０３もしくはＩＤキー２０８を押したときの処理の流れを示すフローチャートである。
【００３９】
まずステップＳ６０１において、入力されたユーザ名とパスワードが正しいかどうかを判定する。もし正しくないと判定された場合はステップＳ６０２に進み、ログインエラー画面を表示し処理を終了する。
【００４０】
一方ステップＳ６０１において、入力されたユーザ名とパスワードが正しいと判定された場合は、ステップＳ６０３に進む。
【００４１】
ステップＳ６０３では、複合機１００の現在の利用者情報として認証画面において入力されたユーザの情報をメモリ内に記憶してステップＳ６０４に進む。
【００４２】
ステップＳ６０４では、アプリケーション画面を表示して処理を終了する。
【００４３】
図７は、アプリケーション画面において、ユーザがＩＤキー２０８を押したり、一定時間操作を行われなかったりした場合に、行われるログアウト処理の流れを示すフローチャートである。
【００４４】
まずステップＳ７０１において、複合機の現在の利用者情報をメモリ内から削除する。
【００４５】
次に、ステップＳ７０２に進み、ログイン画面を表示し、処理を終了する。
【００４６】
図８は、本発明の第一の実施形態に係る画像形成装置においてアプリケーションを削除する際の処理の流れを示すフローチャートである。
【００４７】
アプリケーションのアンインストールが指示されると、まずステップＳ８０１において指定されたアプリケーションが停止中であるかどうかを判定する。もし、アプリケーションが停止状態であると判定されたらステップＳ８０４に進み、アプリケーションをアンインストールして処理を終了する。
【００４８】
一方、ステップＳ８０１においてアプリケーションが停止状態でないと判定されて場合は、ステップＳ８０２に進む。
【００４９】
ステップＳ８０２ではアプリケーションの停止処理を行う。
【００５０】
次にステップＳ８０３に進み、停止処理に成功したか否かを判定する。もし停止処理に成功していればステップＳ８０４に進み、アプリケーションをアンインストールして処理を終了する。
【００５１】
また、ステップＳ８０３においてアプリケーション停止処理が成功しなかったと判定された場合はステップＳ８０５に進み、エラー画面を表示し、処理を終了する。
【００５２】
図９は、本発明の第一の実施形態に係る画像形成装置においてアプリケーションを停止させる際の処理の流れを示すフローチャートである。
【００５３】
アプリケーションの停止が指示されると、まずステップＳ９０１において現在の利用者情報が記憶されているか否かを判定する。もし利用者情報が記憶されていると判定された場合は、ユーザがそのアプリケーションを利用している可能性があるため停止処理は行わずに処理を終了する。ステップＳ９０１において現在の利用者情報が記憶されていないと判定された場合は、その複写機を利用しているユーザが存在せず、アプリケーションも利用されている可能性がないため、ステップＳ９０２に進み、アプリケーションを停止させ処理を終了する。
【００５４】
なお上記実施例では、利用中のユーザ情報が記憶されているか否か（すなわちユーザがログイン中か否か）でアプリケーションが利用中か否かを判定しているが、本発明はこれに制限されることはなく、例えばそのアプリケーションの画面が操作部に表示されているか否かによってそのアプリケーションが使用中か否かを判定するようにしてもよい。
【００５５】
（第二の実施形態）
本発明の第二の実施形態においても画像形成装置のブロック図（図１）、操作部の構造（図２）、ログイン画面／アプリケーション画面（図３、図４）、アプリケーション管理ツール画面（図５）、ログイン／ログアウト時の処理のフロー（図６、図７）、アプリケーションアンインストール／停止処理のフロー（図８、図９）は第一の実施形態と同一であるので説明を省略する。
【００５６】
図１０は、本発明の第二の実施形態に係る画像形成装置のアプリケーション管理ツールおいて、アプリケーション管理ツールにアクセスが行われた際、デバイスに現在の利用者情報が記憶されていた場合に表示される画面である。このように第二の実施形態では装置を既に誰かが利用している場合は一切のアプリケーション管理を行うことができないようにして、ユーザの使用中にアプリケーションの停止やアンインストールが行われることを防いでいる。
【００５７】
図１１は、図５ａにおいてログインボタンが押されて装置に送信される情報を受け取った際の装置側のアプリケーション管理ツールの処理の流れを示すフローチャートである。まずステップＳ１１０１において受信したパスワードが正しいかどうかを判定する。もし受信したパスワードが正しくないと判定された場合は、ステップＳ１１０６に進み、ブラウザ側にエラー画面（図５ｃ）を表示して処理を終了する。
【００５８】
ステップＳ１１０１においてパスワードが正しいと判定された場合は、ステップＳ１１０２に進む。ステップＳ１１０２では複合機の利用者情報が記憶されているかどうかを判定する。もし利用者情報が記憶されていればステップＳ１１０７に進み、エラー画面（図１０）を表示して処理を終了する。
【００５９】
ステップＳ１１０２において利用者情報が記憶されていないと判定された場合は、ステップＳ１１０３に進む。
【００６０】
ステップＳ１１０３では操作部のＬＣＤ表示部２０２上に、アプリケーションの管理処理中であるため装置を利用できない旨のメッセージを表示する画面（図１４）を表示し、ステップＳ１１０４に進む。
【００６１】
ステップＳ１１０４ではブラウザ上にアプリケーション管理画面を表示してステップＳ１１０５に進む。
【００６２】
ステップＳ１１０５ではアプリケーション管理ツールの使用状態を使用中状態に変更して処理を終了する。
【００６３】
図１２は、図５ｂ画面においてログアウトのリンクがクリックされた場合のアプリケーション管理ツールの処理の流れを示すフローチャートである。
【００６４】
まず、ステップＳ１２０１において操作部のＬＣＤ表示部２０２上に図２ａの認証画面を表示する。
【００６５】
次にステップＳ１２０２に進み、ブラウザに図５ａの画面を表示し、ステップＳ１２０３に進む。
【００６６】
ステップＳ１２０３ではアプリケーション管理ツール使用状態を未使用状態に変更して、処理を終了する。
【００６７】
図１３は、アプリケーション管理ツールの使用状態が使用中状態にあった場合に、一定時間アプリケーション管理ツールにアクセスがなくタイムアウトが発生した場合の処理の流れを示すフローチャートである。
【００６８】
まず、ステップＳ１３０１において操作部のＬＣＤ表示部２０２上に図２ａの認証画面を表示する。
【００６９】
次にステップＳ１３０２に進み、アプリケーション管理ツール使用状態を未使用状態に変更して、処理を終了する。
【００７０】
上記実施形態は、いずれも本発明を実施するにあたっての具体化のほんの一例を示したものに過ぎず、これらによって本発明の技術的範囲が限定的に解釈されてはならないものである。すなわち、本発明はその主要な特徴から逸脱することなく、さまざまな形で実施することが出来る。
【図面の簡単な説明】
【００７１】
【図１】本発明の第一の実施形態に係る画像形成装置の構成を示すブロック図である。
【図２】本発明の第一の実施形態に係る画像形成装置の操作部を示す図である。
【図３】本発明の第一の実施形態に係る画像形成装置の操作部のLCD上に表示される認証画面を示す図である。
【図４】本発明の第一の実施形態に係る画像形成装置の操作部のLCD上に表示されるアプリケーション画面の例を示す図である。
【図５】本発明の第一の実施形態に係る画像形成装置のアプリケーションを管理するためのアプリケーション管理ツールの画面を示す図である。
【図６】本発明の第一の実施形態に係る画像形成装置において、ユーザがログインを行う際の処理の流れを示すフローチャートである。
【図７】本発明の第一の実施形態に係る画像形成装置において、ユーザがログアウトを行う際の処理の流れを示すフローチャートである。
【図８】本発明の第一の実施形態に係る画像形成装置において、アプリケーションをアンインストールする際の処理の流れを示すフローチャートである。
【図９】本発明の第一の実施形態に係る画像形成装置において、アプリケーションを停止させる際の処理の流れを示すフローチャートである。
【図１０】本発明の第二の実施形態に係る画像形成装置において、デバイスに現在の利用者情報が記憶されている状態でアプリケーション管理ツールにアクセスした場合に表示される画面を示す図である。
【図１１】本発明の第二の実施形態に係る画像形成装置において、図５ａでログインボタンが押されて装置に送信される情報を受け取った際の装置側のアプリケーション管理ツールの処理の流れを示すフローチャートである。
【図１２】本発明の第二の実施形態に係る画像形成装置において、図５ｂ画面でログアウトのリンクがクリックされた場合のアプリケーション管理ツールの処理の流れを示すフローチャートである。
【図１３】本発明の第二の実施形態に係る画像形成装置において、アプリケーション管理ツールの使用状態が使用中状態にあった場合に、一定時間アプリケーション管理ツールにアクセスがなくタイムアウトが発生した場合の処理の流れを示すフローチャートである。
【図１４】メッセージを表示する画面。
【符号の説明】
【００７２】
１００  複合機
２０１  タッチパネルシート
２０２  ＬＣＤ表示部
【図１】
2006123310.tif 000003
【図２】
2006123310.tif 000004
【図３】
2006123310.tif 000005
【図４】
2006123310.tif 000006
【図５】
2006123310.tif 000007
【図６】
2006123310.tif 000008
【図７】
2006123310.tif 000009
【図８】
2006123310.tif 000010
【図９】
2006123310.tif 000011
【図１０】
2006123310.tif 000012
【図１１】
2006123310.tif 000013
【図１２】
2006123310.tif 000014
【図１３】
2006123310.tif 000015
【図１４】
2006123310.tif 000016